(57)【特許請求の範囲】
【請求項１】
一面に電線受面を有する電線受面部と、
この電線受面部から電線受面側に折曲され、電線挿入孔を有する電線挿入面部と、
この電線挿入面部の前記電線受面部に対して反対側の縁部から電線受面に向けて折曲された鎖錠片部と、
前記電線挿入面部の電線挿入孔付近から前記鎖錠片部の先端にわたって、その電線挿入孔からの電線挿入方向に沿って設けられた鎖錠片側スリットと
を具備していることを特徴とする端子装置。
【請求項２】
一面に電線受面を有する電線受面部と、
この電線受面部から電線受面側に折曲され、電線挿入孔を有する電線挿入面部と、
この電線挿入面部の前記電線受面部に対して反対側の縁部から電線受面に向けて折曲された鎖錠片部と、
前記電線受面部に、前記電線挿入面部の電線挿入孔付近から、その電線挿入孔からの電線挿入方向に沿って設けられた電線受面側スリットと
を具備していることを特徴とする端子装置。
【請求項３】
一面に電線受面を有する電線受面部と、
この電線受面部から電線受面側に折曲され、電線挿入孔を有する電線挿入面部と、
この電線挿入面部の前記電線受面部に対して反対側の縁部から電線受面に向けて折曲された鎖錠片部と、
前記電線挿入面部の電線挿入孔付近から前記鎖錠片部の先端にわたって、その電線挿入孔からの電線挿入方向に沿って設けられた鎖錠片側スリットと、
前記電線受面部に、前記電線挿入面部の電線挿入孔付近から、その電線挿入孔からの電線挿入方向に沿って設けられた電線受面側スリットと
を具備していることを特徴とする端子装置。
【請求項４】
電線受面部の電線挿入面部と反対側の縁部から突設される脚部を具備している
ことを特徴とする請求項１ないし３いずれか記載の端子装置。
【請求項５】
脚部は、電線受面部から切り起こし形成されている
ことを特徴とする請求項４記載の端子装置。
【発明の詳細な説明】
【０００１】
【発明の属する技術分野】
本発明は、電線接続用の端子装置に関する。
【０００２】
【従来の技術】
従来、電線接続用の端子装置は、例えば、照明器具用のインバータ点灯装置などの基板に取り付けられ、その基板に対して電線を接続する基板用端子台として使用されており、図７に示すように、端子金具１およびこの端子金具１を収納するケース２を有し、ケース２の電線挿入孔2aに挿入される電線３に対して端子金具１が電気的接続状態で抜け止め係止するようにした構造が採られている。
【０００３】
端子金具１は、側板部1aを有し、この側板部1aの縁部から、電線挿入孔2aに挿入される電線３を受け止める電線受面部1b、電線３に接触して電線受面部1bに押し付ける鎖錠片部1c、ケース２から突出して基板に取り付けられる脚部1d、ケース２に固定される係止爪1eなどがそれぞれ折曲されており、１枚の板材から展開状態の形状に切り出して折曲することで形成されている。
【０００４】
【発明が解決しようとする課題】
しかしながら、基板用端子台は、インバータ点灯装置に用いられる場合、インバータ点灯装置の基板の横幅寸法内に多い場合には８個程度並べて取り付けられるため、基板の横幅の幅狭化や基板用端子台の並設個数の増加に伴って、基板用端子台の小形化が求められている。
【０００５】
基板用端子台の小形化する場合の１つの方法として、端子金具１の電線受面部1bから鎖錠片部1cの基端部までの寸法Ａを小さくすることが考えられるが、この寸法Ａを小さくすると、鎖錠片部1cが短くなって十分なばね性が得られなくなり、電線３を鎖錠片部1cと電線受面部1bとの間に挿入する際に、鎖錠片部1cの剛性が強くてその鎖錠片部1cを弾性変形させるのに大きな挿入力を必要としてスムーズに挿入できないか、あるいは鎖錠片部1cが塑性変形して電線３との接触が不安定になることが考えられる。
【０００６】
本発明は、このような点に鑑みなされたもので、電線受面部と鎖錠片部の折曲部分との間の寸法を小さくしても、電線の挿入性がよく、電線との接触状態を安定させることができ、よって、電線受面部と鎖錠片部との間の寸法を小さくして小形化できる端子装置を提供することを目的とする。
【０００７】
【課題を解決するための手段】
請求項１記載の端子装置は、一面に電線受面を有する電線受面部と、この電線受面部から電線受面側に折曲され、電線挿入孔を有する電線挿入面部と、この電線挿入面部の前記電線受面部に対して反対側の縁部から電線受面に向けて折曲された鎖錠片部と、前記電線挿入面部の電線挿入孔付近から前記鎖錠片部の先端にわたって、その電線挿入孔からの電線挿入方向に沿って設けられた鎖錠片側スリットとを具備しているものである。
【０００８】
そして、一面に電線受面を有する電線受面部、電線挿入孔を有する電線挿入面部、および鎖錠片部を順次折曲し、電線挿入面部の電線挿入孔付近から鎖錠片部の先端にわたって、その電線挿入孔からの電線挿入方向に沿って鎖錠片側スリットを設けることにより、電線挿入孔に挿入される電線で鎖錠片部の鎖錠片側スリットで分割された各部分がそれぞれ弾性変形しながら、電線受面との間への電線の挿入を許容するので、電線受面部と鎖錠片部との間の電線挿入面部の寸法を小さくしても、鎖錠片部の剛性が低減されて電線の挿入性がよく、鎖錠片部が塑性変形することなく電線との接触状態が安定する。したがって、電線受面部と鎖錠片部との間の電線挿入面部の寸法を小さくして小形化することが可能となる。
【０００９】
請求項２記載の端子装置は、一面に電線受面を有する電線受面部と、この電線受面部から電線受面側に折曲され、電線挿入孔を有する電線挿入面部と、この電線挿入面部の前記電線受面部に対して反対側の縁部から電線受面に向けて折曲された鎖錠片部と、前記電線受面部に、前記電線挿入面部の電線挿入孔付近から、その電線挿入孔からの電線挿入方向に沿って設けられた電線受面側スリットとを具備しているものである。
【００１０】
そして、一面に電線受面を有する電線受面部、電線挿入孔を有する電線挿入面部、および鎖錠片部を順次折曲し、電線受面部には、電線挿入面部の電線挿入孔付近から、その電線挿入孔からの電線挿入方向に沿って電線受面側スリットを設けることにより、電線挿入孔に挿入される電線で電線受面部の電線受面側スリットで分割された各部分がそれぞれ弾性変形しながら鎖錠片部に対して逃げ、鎖錠片部との間への電線の挿入を許容するので、電線受面部と鎖錠片部との間の電線挿入面部の寸法を小さくしても、電線受面部の剛性が低減されて電線の挿入性がよく、鎖錠片部が塑性変形することなく電線との接触状態が安定する。したがって、電線受面部と鎖錠片部との間の電線挿入面部の寸法を小さくして小形化することが可能となる。
【００１１】
請求項３記載の端子装置は、一面に電線受面を有する電線受面部と、この電線受面部から電線受面側に折曲され、電線挿入孔を有する電線挿入面部と、この電線挿入面部の前記電線受面部に対して反対側の縁部から電線受面に向けて折曲された鎖錠片部と、前記電線挿入面部の電線挿入孔付近から前記鎖錠片部の先端にわたって、その電線挿入孔からの電線挿入方向に沿って設けられた鎖錠片側スリットと、前記電線受面部に、前記電線挿入面部の電線挿入孔付近から、その電線挿入孔からの電線挿入方向に沿って設けられた電線受面側スリットとを具備しているものである。
【００１２】
そして、一面に電線受面を有する電線受面部、電線挿入孔を有する電線挿入面部、および鎖錠片部を順次折曲し、電線挿入面部の電線挿入孔付近から鎖錠片部の先端にわたって、その電線挿入孔からの電線挿入方向に沿って鎖錠片側スリットを設け、および、電線受面部には、電線挿入面部の電線挿入孔付近から、その電線挿入孔からの電線挿入方向に沿って電線受面側スリットを設けることにより、電線挿入孔に挿入される電線で鎖錠片部の鎖錠片側スリットで分割された各部分がそれぞれ弾性変形しながら、および電線挿入孔に挿入される電線で電線受面部の電線受面側スリットで分割された各部分がそれぞれ弾性変形しながら鎖錠片部に対して逃げ、電線受面と鎖錠片部との間への電線の挿入を許容するので、電線受面部と鎖錠片部との間の電線挿入面部の寸法を小さくしても、電線受面部および鎖錠片部の剛性が低減されて電線の挿入性がよく、鎖錠片部が塑性変形することなく電線との接触状態が安定する。したがって、電線受面部と鎖錠片部との間の電線挿入面部の寸法を小さくして小形化することが可能となる。
【００１３】
請求項４記載の端子装置は、請求項１ないし３いずれか記載の端子装置において、電線受面部の電線挿入面部と反対側の縁部から突設される脚部を具備しているものである。
【００１４】
そして、電線受面部の電線挿入面部と反対側の縁部から脚部を突設することにより、基板などに接続固定可能とする。
【００１５】
請求項５記載の端子装置は、請求項４記載の端子装置において、脚部は、電線受面部から切り起こし形成されているものである。
【００１６】
そして、脚部を電線受面部から切り起こし形成することにより、端子素材から切り出す際の材料取りがよくなる。
【００１７】
【発明の実施の形態】
以下、本発明の一実施の形態を図面を参照して説明する。
【００１８】
図１ないし図５に一実施の形態を示し、この実施の形態では、例えば、照明器具用のインバータ点灯装置などの基板に取り付けられ、その基板に対して電線を接続する基板用端子台を示す。
【００１９】
基板用端子台は、一対（２極）の端子金具11、この端子金具11を収納するケース12およびカバー13を有し、２極一体形に形成されている。
【００２０】
端子金具11は、導電性およびばね性を有する薄い板材を端子素材として形成されており、一面側を電線受面21とする電線受面部22を有し、この電線受面部22の一端側の縁部から電線受面21側に略直角に電線挿入面部23が折曲形成され、この電線挿入面部23の先端側（電線受面部22に対して反対側）の縁部から電線受面21に向けて傾斜状に鎖錠片部24が折曲形成され、電線受面部22の他端側（電線挿入面部23と反対側）の縁部の両側から一対の脚部25が延設されている。
【００２１】
電線挿入面部23の中央には、電線受面21に臨んで図示しない電線が挿入される電線挿入孔26が形成されている。
【００２２】
電線挿入面部23の電線挿入孔26付近から鎖錠片部24の先端にわたって、その電線挿入孔26からの電線挿入方向に沿って鎖錠片側スリット27が形成されている。この鎖錠片側スリット27によって、鎖錠片部24は一対の分割片部24a に分割形成されている。なお、電線挿入孔26と鎖錠片側スリット27の端部との間には、鎖錠片側スリット27が入らずに分割されない連結部28が残る。
【００２３】
電線受面部22に、電線挿入面部23の電線挿入孔26付近から、その電線挿入孔26からの電線挿入方向に沿って電線受面側スリット29が形成されている。この電線受面側スリット29によって、電線受面部22は一対の分割片部22a に分割形成されている。なお、電線挿入孔26と電線受面側スリット29の一端部との間、電線受面側スリット29の他端部と電線受面部22の他端縁部との間には、電線受面側スリット29が入らずに分割されない連結部30，31がそれぞれ残る。
【００２４】
また、ケース12は、絶縁性を有する例えば合成樹脂材料にて箱状に形成されており、内部に一対の端子金具11が収納される一対の端子収納部41が仕切壁42で仕切られて並列に区画形成されている。各端子収納部41は、一対の端子収納部41が並ぶ端子並設方向の幅が端子並設方向と直交する方向の幅に比べて狭く形成され、ケース12の横断面形状は略正方形状に形成されている。
【００２５】
各端子収納部41には、端子金具11の電線挿入面部23に接して位置決めする保持面43、端子金具11の電線受面部22に接して保持する保持面44、端子金具11の両側縁に接触保持する保持面45、端子金具11の折曲部分に接して保持する保持面46が形成されている。保持面43には、保持面44に臨ん図示しない電線が挿入される電線挿入孔47が形成されている。保持面44の中央には、端子金具11の電線受面側スリット29の位置に対応して凹部48が電線挿入方向に沿って形成されている。
【００２６】
ケース12の下面には各端子収納部41に対して各端子金具11を挿入する開口部49が形成され、この開口部49の端子並設方向の両縁部にカバー13を取り付ける取付孔50が形成されている。
【００２７】
また、カバー13は、絶縁性を有する例えば合成樹脂材料にて長方形状に形成され、ケース12の開口部49に着脱可能に装着されるもので、長手方向の幅が開口部49の幅と略同一に形成され、短手方向の幅が開口部49の幅より狭く、その短手方向の両側の開口部分を通じて端子金具11の脚部25が突出するようになっている。カバー13の長手方向の両端には取付孔50に係合される係止爪部51が突出形成されている。カバー13の端子収納部41に臨む面には、保持面44との間で端子金具11の電線受面部22を挟持する保持突部52が突出形成されている。
【００２８】
そして、基板用端子台を組み立てる場合には、端子金具11の電線挿入面部23を先頭とするとともに電線受面部22を凹部48を有する保持面44に沿わせるようにして、一対の各端子金具11をケース12の一対の各端子収納部41に開口部49を通じて挿入し、カバー13をケース12の開口部49に取り付ける。
【００２９】
この組立状態では、端子金具11がケース12とカバー13との間で端子収納部41内の所定位置に位置決め保持され、端子金具11の電線挿入孔26がケース12の電線挿入孔47に連通し、脚部25がカバー13の両側開口を通じてケース12から突出される。
【００３０】
また、基板用端子台を基板に装着する場合には、ケース12から突出する脚部25を基板に通して回路にはんだ付けし、電気的に接続するとともに機械的に固定する。
【００３１】
また、基板用端子台に電線を接続する場合には、被覆を切り取って芯線を露出させた電線の先端をケース12の電線挿入孔47を通じて端子金具11の電線挿入孔26に挿入する。挿入される電線は鎖錠片部24に接触して、その鎖錠片部24を弾性変形させながら電線受面21と鎖錠片部24との間に挿入される。
【００３２】
このとき、電線挿入面部23の電線挿入孔26付近から鎖錠片部24の先端にわたって形成される鎖錠片側スリット27によって、鎖錠片部24が一対の分割片部24a に分割されて剛性が低減されており、各分割片部24a の鎖錠片側スリット27に近い縁部側が電線で押圧されて大きく弾性変形するが、鎖錠片側スリット27と反対側の縁部側の弾性変形は小さく、各分割片部24a 全体が一様に大きく弾性変形する場合に比べて、小さい力で各分割片部24a がねじれるように弾性変形される。そのため、電線を電線受面21と鎖錠片部24との間に容易に挿入できる。
【００３３】
また、電線受面部22に形成される電線受面側スリット29によって、電線受面部22が一対の分割片部22a に分割されて剛性が低減されており、各分割片部22a の電線受面側スリット29に近い縁部側が電線で押圧されると、鎖錠片部24に対して逃げるように電線受面21と反対側に弾性変形する。そのため、電線を電線受面21と鎖錠片部24との間に容易に挿入できる。
【００３４】
したがって、電線受面側スリット29を有する電線受面部22と鎖錠片側スリット27を有する鎖錠片部24との両方の相乗作用によって、電線を電線受面21と鎖錠片部24との間に容易に挿入できる。
【００３５】
そして、挿入された電線には鎖錠片部24が食い付いた状態で圧接し、電線と端子金具11とが電気的に接続されるとともに、電線が鎖錠片部24で抜け止め係止される。
【００３６】
このように、電線受面21を有する電線受面部22、電線挿入孔26を有する電線挿入面部23、および鎖錠片部24を順次折曲し、電線挿入面部23の電線挿入孔26付近から鎖錠片部24の先端にわたって、その電線挿入孔26からの電線挿入方向に沿って鎖錠片側スリット27を設け、および、電線受面部22には、電線挿入面部23の電線挿入孔26付近から、その電線挿入孔26からの電線挿入方向に沿って電線受面側スリット29を設けることにより、電線挿入孔26に挿入される電線で鎖錠片部24の鎖錠片側スリット27で分割された各分割片部24a の部分がそれぞれ弾性変形しながら、および電線挿入孔26に挿入される電線で電線受面部22の電線受面側スリット29で分割された各分割片部22a の部分がそれぞれ弾性変形しながら鎖錠片部24に対して逃げ、電線受面21と鎖錠片部24との間への電線の挿入を許容するので、電線受面部22と鎖錠片部24との間の電線挿入面部23の寸法を小さくしても、電線受面部22および鎖錠片部24の剛性が低減されて電線の挿入性がよく、鎖錠片部24が塑性変形することなく電線との接触状態を安定させることができる。したがって、電線受面部22と鎖錠片部24との間の電線挿入面部23の寸法を小さくして小形化することができる。
【００３７】
また、各スリット27，29を電線挿入孔26まで入れた場合には、電線挿入孔26の部分でもずれが生じ、電線を電線挿入孔26に挿入できなくなったり、挿入した電線がスリット27，29から外れやすくなるが、各スリット27，29を電線挿入孔26まで入れずに連結部28，30を残すことにより、電線を電線挿入孔26に確実に挿入できるとともに電線が外れるのを防止できる。
【００３８】
また、端子金具11は、同一方向に２回折り曲げるだけの簡単な構造であり、各スリット27，29も端子素材からの切り出し時に同時に形成でき、端子金具11を容易に製造でき、安価にできる。
【００３９】
また、図６に他の実施の形態を示し、脚部25を電線受面部22の両側から切り起こし形成することにより、端子金具11の展開状態では略長方形状となって飛び出す部分がなく、１枚の端子素材から切り出す際に、使用されずに無駄となる部分が少なく、材料取りをよくでき、例えば安価なリボン材を使用できる。
【００４０】
【発明の効果】
請求項１記載の端子装置によれば、一面に電線受面を有する電線受面部、電線挿入孔を有する電線挿入面部、および鎖錠片部を順次折曲し、電線挿入面部の電線挿入孔付近から鎖錠片部の先端にわたって、その電線挿入孔からの電線挿入方向に沿って鎖錠片側スリットを設けることにより、電線挿入孔に挿入される電線で鎖錠片部の鎖錠片側スリットで分割された各部分がそれぞれ弾性変形しながら、電線受面との間への電線の挿入を許容するので、電線受面部と鎖錠片部との間の電線挿入面部の寸法を小さくしても、鎖錠片部の剛性が低減されて電線の挿入性がよく、鎖錠片部が塑性変形することなく電線との接触状態を安定させることができる。したがって、電線受面部と鎖錠片部との間の電線挿入面部の寸法を小さくして小形化することができる。
【００４１】
請求項２記載の端子装置によれば、一面に電線受面を有する電線受面部、電線挿入孔を有する電線挿入面部、および鎖錠片部を順次折曲し、電線受面部には、電線挿入面部の電線挿入孔付近から、その電線挿入孔からの電線挿入方向に沿って電線受面側スリットを設けることにより、電線挿入孔に挿入される電線で電線受面部の電線受面側スリットで分割された各部分がそれぞれ弾性変形しながら鎖錠片部に対して逃げ、鎖錠片部との間への電線の挿入を許容するので、電線受面部と鎖錠片部との間の電線挿入面部の寸法を小さくしても、電線受面部の剛性が低減されて電線の挿入性がよく、鎖錠片部が塑性変形することなく電線との接触状態を安定させることができる。したがって、電線受面部と鎖錠片部との間の電線挿入面部の寸法を小さくして小形化することができる。
【００４２】
請求項３記載の端子装置によれば、一面に電線受面を有する電線受面部、電線挿入孔を有する電線挿入面部、および鎖錠片部を順次折曲し、電線挿入面部の電線挿入孔付近から鎖錠片部の先端にわたって、その電線挿入孔からの電線挿入方向に沿って鎖錠片側スリットを設け、および、電線受面部には、電線挿入面部の電線挿入孔付近から、その電線挿入孔からの電線挿入方向に沿って電線受面側スリットを設けることにより、電線挿入孔に挿入される電線で鎖錠片部の鎖錠片側スリットで分割された各部分がそれぞれ弾性変形しながら、および電線挿入孔に挿入される電線で電線受面部の電線受面側スリットで分割された各部分がそれぞれ弾性変形しながら鎖錠片部に対して逃げ、電線受面と鎖錠片部との間への電線の挿入を許容するので、電線受面部と鎖錠片部との間の電線挿入面部の寸法を小さくしても、電線受面部および鎖錠片部の剛性が低減されて電線の挿入性がよく、鎖錠片部が塑性変形することなく電線との接触状態を安定させることができる。したがって、電線受面部と鎖錠片部との間の電線挿入面部の寸法を小さくして小形化することができる。
【００４３】
請求項４記載の端子装置によれば、請求項１ないし３いずれか記載の端子装置の効果に加えて、電線受面部の電線挿入面部と反対側の縁部から脚部を突設するので、基板などに接続固定できる。
【００４４】
請求項５記載の端子装置によれば、請求項４記載の端子装置の効果に加えて、脚部を電線受面部から切り起こし形成するので、端子素材から切り出す際の材料取りをよくできる。
【図面の簡単な説明】
【図１】本発明の端子装置の一実施の形態を示す端子金具の斜視図である。
【図２】同上端子台の組立状態の断面図である。
【図３】同上端子台の分解状態の断面図である。
【図４】同上ケースの底面図である。
【図５】同上カバーの底面図である。
【図６】本発明の端子装置の他の実施の形態を示す端子金具の斜視図である。
【図７】従来の端子台の断面図である。
【符号の説明】
21    電線受面
22    電線受面部
23    電線挿入面部
24    鎖錠片部
25    脚部
26    電線挿入孔
27    鎖錠片側スリット
29    電線受面側スリット
【図１】
0003700753.tif 000002
【図２】
0003700753.tif 000003
【図３】
0003700753.tif 000004
【図４】
0003700753.tif 000005
【図５】
0003700753.tif 000006
【図６】
0003700753.tif 000007
【図７】
0003700753.tif 000008